(57)【要約】【課題】  操作部と制御部を一体化した機器を室外側に設置し、該室外側の機器に悪戯、故意の破壊行為があっても、室内の機器が不正に操作されないように構成した電気錠制御システムを提供する。【解決手段】  室外側に設置される操作・制御装置２０と、室内側に設置される電気錠５０とからなり、操作・制御装置２０を操作して電気錠５０を制御する制御システムであって、操作・制御装置２０は、所定の入力操作に基づいて電気錠５０を制御する制御部２１と、室外側の操作・制御装置の異常を検知する検知手段２３とを備え、検知手段２３が操作・制御装置２０の異常を検知すると電気錠５０が施錠状態を保持するように動作を制限する制限手段３１を室内側に具備する。【選択図】      図１
2005188071.tif 000002
【特許請求の範囲】
【請求項１】
室外側に設置される操作・制御装置と、室内側に設置される電気錠とからなり、前記操作・制御装置を操作して前記電気錠を制御する電気錠制御システムであって、
操作・制御装置は、所定の入力操作に基づいて前記電気錠に解錠信号を送出する制御部と、
前記室外側の操作・制御装置の異常を検知する検知手段とを備え、
室内側に設けられ、前記検知手段が前記操作・制御装置の異常を検知すると前記電気錠
が施錠状態を保持するように動作を制限する制限手段を具備することを特徴とする電気錠制御システム。
【請求項２】
前記制限手段は、前記検知手段が前記操作・制御装置の異常を検知すると、前記電気錠と前記制御部との接続経路を遮断することを特徴とする請求項１に記載の電気錠制御システム。
【請求項３】
前記制限手段は更に、該制限手段によって制限された電気錠の動作の制限を解除するための復旧手段を備えることを特徴とする請求項１または２に記載の電気錠制御システム。
【請求項４】
前記検知手段は、前記操作・制御装置の設置場所からの取り外し、および／または、前記操作・制御装置を収容した筐体の開放を検知することを特徴とする請求項１〜３の何れか１項に記載の電気錠制御システム。
【請求項５】
電気錠と該電気錠を制御する制御部との接続経路に設けられた電気錠の動作制限装置であって、
前記制御部の異常を検知する異常検知手段と、
前記電気錠と接続された錠接続手段と、
前記制御部と接続された制御接続手段と、
前記錠接続手段と前記制御接続手段とを連結して前記電気錠と前記制御部とを接続する連結手段と、を具備し、
前記連結手段は、前記検知手段が前記制御部の異常を検知すると、前記錠接続手段と前記制御接続手段との連結を解除して前記電気錠と前記制御部との接続経路を遮断することを特徴とする電気錠の動作制限装置。
【発明の詳細な説明】
【技術分野】
【０００１】
本発明は、それに限られるものではないが、例えば、電気錠の制御システムのような制御システムに関するものであり、特に、室外側に設置した操作・制御装置により室内側に設置した電気錠を制御する電気錠制御システムにおいて、室外側に設置した操作・制御装置に異常が発生した場合に電気錠を異常発生前の状態に保持するようにした電気錠制御システムおよび電気錠の動作制限装置に関するものである。
【背景技術】
【０００２】
従来、室外側から室内の機器を操作する装置として、例えば、電気錠装置が知られている。従来から一般的に使用されている電気錠装置としては、電気錠を扉に埋設し、扉の室外側にＩＤコード等を入力する操作部を配するとともに、扉の室内側に電気錠を制御する制御部と電源部とを配するものが存在する。このような電気錠装置では、操作部にて入力されたＩＤコード等を制御部で照合して照合ＯＫであれば、制御部から電気錠に解錠信号を送出して電気錠を解錠する。
【０００３】
しかし、従来の電気錠装置では、操作部を室外側、制御部を室内側に各々離間して設ける構成であるため、筐体や回路基板、マイクロコンピュータ等の制御素子を個別の機器として生産する必要があり、機器の生産コストが増大するとともに、各機器間の配線構造が複雑となり作業の工数が増大してコスト高になるという問題があった。
【０００４】
そこで、電気錠の操作部と制御部とを一体的に構成して扉の室外側に配することによりコストの削減を図るものとして、例えば、特許文献１に示すような電気錠装置が知られている。
【０００５】
特許文献１記載の電気錠装置は、門扉側（室外側）に制御部と操作器とを一体的に設けて配線構造を簡素化することによりコストを削減したものである。すなわち、図５に示すように、電気錠２と、電気錠２の操作器と、電気錠の制御部とを操作器兼制御ユニット５として門扉１側に設ける。門扉１の近傍の屋外に電源ユニット６を配設すると共に電源ユニット６に交流商用電源を供給する。電源ユニット６と上記制御部とを低圧電源線７にて接続して電源ユニット６で変換した低圧直流を制御部に供給する。釦の操作にて接点をオンオフする室内解除釦８を家屋３内に装着すると共に、室内解除釦８と制御部とを電源ユニット６を介して信号線Ｌで接続したものである。
【０００６】
【特許文献１】特開平８−２６０７７８号公報
【発明の開示】
【発明が解決しようとする課題】
【０００７】
しかしながら、上記特許文献１に開示された電気錠装置では、電気錠を解錠制御する制御部を操作部とともに室外側に設置しているため、制御部、操作部を収容した筐体を開蓋したり、筐体そのものを設置箇所から引き剥がしたりすることで、電気錠と制御部との間の配線を室外側に露出させることが可能となるという問題がある。そのため、この電気錠と制御部との間の配線に、所定の電圧・電流が印加されたり、当該配線が切断されることにより、電気錠が室外側から不正に解錠されてしまう恐れがあった。
【０００８】
そこで、本発明は、操作部と制御部を一体化した機器として室外側に設置した場合に、該室外側の機器に悪戯、故意の破壊行為があっても、室内の機器が不正に操作されないように構成し、防犯効果を損なうことのない電気錠制御システムおよび電気錠の不正な操作を防止する電気錠の動作制限装置を提供することを目的とするものである。
【課題を解決するための手段】
【０００９】
前記課題を解決するために、本願の請求項１に係る発明は、室外側に設置される操作・制御装置と、室内側に設置される電気錠とからなり、前記操作・制御装置を操作して前記電気錠を制御する電気錠制御システムであって、
操作・制御装置は、所定の入力操作に基づいて前記電気錠に解錠信号を送出する制御部と、
前記室外側の操作・制御装置の異常を検知する検知手段とを備え、
室内側に設けられ、前記検知手段が前記操作・制御装置の異常を検知すると前記電気錠
が施錠状態を保持するように動作を制限する制限手段を具備することを特徴とする。
【００１０】
また、本願の請求項２に係る発明は、請求項１の電気錠制御システムにおいて、前記制限手段は、前記検知手段が前記操作・制御装置の異常を検知すると、前記電気錠と前記制御部との接続経路を遮断することを特徴とする。
【００１１】
また、本願の請求項３に係る発明は、請求項１または２の電気錠制御システムにおいて、前記制限手段は更に、該制限手段によって制限された電気錠の動作の制限を解除するための復旧手段を備えることを特徴とする。
【００１２】
また、本願の請求項４に係る発明は、請求項１〜３の何れかに記載の電気錠制御システムにおいて、前記検知手段は、前記操作・制御装置の設置場所からの取り外し、および／または、前記操作・制御装置を収容した筐体の開放を検知することを特徴とする。
【００１３】
また、本願の請求項５に係る発明は、電気錠と該電気錠を制御する制御部との接続経路に設けられた電気錠の動作制限装置であって、
前記制御部の異常を検知する異常検知手段と、
前記電気錠と接続された錠接続手段と、
前記制御部と接続された制御接続手段と、
前記錠接続手段と前記制御接続手段とを連結して前記電気錠と前記制御部とを接続する連結手段と、を具備し、
前記連結手段は、前記検知手段が前記制御部の異常を検知すると、前記錠接続手段と前記制御接続手段との連結を解除して前記電気錠と前記制御部との接続経路を遮断することを特徴とする。
【発明の効果】
【００１４】
本願の請求項１に係る発明においては、操作・制御装置に入力部と制御部とを一体化して共に室外側に設けることで配線構造の簡素化を可能とし、また、室外側の機器の異常を検知すると電気錠が施錠状態を保持する構成としたので、室外側の操作・制御装置に画策して電気錠を不正に解錠することを防止できるようになる。
【００１５】
また、請求項２に係る発明においては、室外側の機器の異常を検知すると、制御部と電気錠との接続を室内側にて遮断する構成としたので、室外側からの不正な解錠を防止して防盗性（防犯性）を向上することができる。
【００１６】
また、請求項３に係る発明においては、復旧手段を室内側の制限手段に備えることにより、利用者は室外側の操作・制御装置を正常状態に戻すなどして室外側の状況を確認した上で、遮断した電気錠との接続経路を室内側より安全に復旧させることができ利便性保全性を向上させることができるようになる。
【００１７】
また、請求項４に係る発明においては、室外側に設置される操作・制御装置の設置面からの取り外しや筐体の開放を検知して、電気錠と制御部との接続経路を遮断する構成とすることにより、操作制御装置の制御部への画策行為や、制御部と電気錠との接続経路への画策行為を防止することができ、電気錠の不正解錠を防止できるようになる。
【００１８】
また、請求項５に係る発明においては、電気錠と該電気錠を制御する制御部との接続経路に設けられた電気錠の動作制限装置に関して、異常を検知する検知手段が制御部の異常を検知すると、電気錠と制御部との接続経路を遮断する構成としたので、不正な操作による電気錠の作動を防止することができるようになる。
【発明を実施するための最良の形態】
【００１９】
以下、本発明の電気錠制御システムおよび電気錠の動作制限装置を図面を用いて詳細に説明する。図１は、本発明に係る電気錠制御システムの１実施態様を示すブロック図であり、図２は、図１における制限手段（動作制限装置）の構成を示す回路図、図３は、図１の制御システムの動作手順を示すフローチャートである。図４は本発明に係る電気錠制御システムの他の実施態様の制限手段（動作制限装置）を示す回路図である。
【実施例１】
【００２０】
本発明の実施例１にかかる電気錠制御システム１０は、図１に示すように、室外側に設けられた操作・制御装置２０と、室内側に設けられた電源装置４０および電気錠の動作制限装置３０である制限手段３１および居室等の出入口扉６０に設けられた電気錠５０とで概略構成され、操作・制御装置２０を操作して電気錠５０を施錠、解錠するものである。
【００２１】
本実施例における電気錠５０は、モータ式電気錠、瞬時通電解錠型電気錠、瞬時通電解錠型電気錠、通電時解錠型電気錠など、通電または制御信号を受けて解錠する方式の電気錠であれば良い。これらの電気錠５０の施錠は、出入口扉６０の閉鎖を検知すると自動的に行われる場合と、サムターンや鍵による手動操作で行う場合とがある。
【００２２】
電源装置４０は、商用電源と接続されて操作・制御装置２０と制限手段３１とに電力を供給する。なお、電源装置４０はバッテリにて構成されていてもよい。制限手段３１は、操作・制御装置２０と電気錠５０とを接続する電磁リレーである。操作・制御装置２０は、異常を検知する検知手段２３と、ＩＤコード等を入力して電気錠５０の解錠操作を行う入力部２２と、ＣＰＵで構成されて制限手段３１を介して電気錠５０の制御を行う制御部２１とを一体的に設けたもので、出入口扉６０の近傍となる室外の壁面などに設置されて使用される。また、操作・制御装置２０は、ＬＥＤやＬＣＤ、有機ＥＬなどからなる図示しない表示部を備えている。
【００２３】
検知手段２３は、操作・制御装置２０の筐体や蓋の開放、および、操作・制御装置２０が設置面から取り外されたことを検知して異常出力するものである。蓋の開放や設置面から取り外されたことを検知する手段は、蓋と本体（筐体本体）にリミットスイッチと磁石を設けて蓋と本体の離間を検知するものや、赤外線の投光部と受光部を蓋側と本体側に対向させて設けて蓋と本体の離間を検知するものや、閉鎖状態にある蓋で本体側に設置された弾性スイッチを押下させておき蓋と本体の離間を検知するもの等が使用でき、これらの手段は従来から実現され、種々の分野で利用されている。
【００２４】
入力部２２は、ＩＤコードとなる暗証番号を入力するためのテンキーを備えて構成される。ここで、入力部に入力されるＩＤコードとは暗証番号に限られたものではなく、カードに記録された情報や、指紋・掌紋・虹彩・声紋などのバイオメトリクス情報など、出入口扉６０を解錠するものの資格を確認できる情報であれば何でも良い。また、本例では、ＩＤコードとして暗証番号を入力する例について説明したため、入力部はテンキーを備えて構成されるが、入力されるＩＤコードの形態が異なる場合においては、カードリーダや撮像手段など、入力されるＩＤコードが読取り可能となるよう構成される。
【００２５】
制御部２１は、入力部２２に入力されたＩＤコードを照合し、制限手段３１を介して電気錠５０に解錠信号として制御信号線２Ｌ１を介して所定の有電圧信号を送出する。電気錠５０は、この解錠信号により通電されて作動し解錠する。また、制御部２１は、制限手段３１に対し異常信号線２Ｌ２を介して常時所定の有電圧信号を送出しており、検知手段２３の異常出力を受けると異常信号線２Ｌ２の有電圧信号を消失させることにより制限手段３１に異常信号を伝達する。なお、制御部２１は検知手段２３の異常出力を受けると室内側の図示しない警備装置に異常信号を送出するようにしてもよい。
【００２６】
次に、図２の回路図を用いて電気錠の動作制限装置３０である制限手段３１について説明する。図２は制限手段３１の概略を説明するための回路図である。制限手段３１には制御部２１から異常信号線２Ｌ２と制御信号線２Ｌ１が接続されている。異常信号線２Ｌ２は、電気錠の動作制限装置３０への異常検知手段として作用し、制御信号線２Ｌ１は、電気錠の動作制限装置３０の錠接続手段として作用する。異常信号線２Ｌ２には制御部２１より有電圧信号が印加されており、スイッチＳＷ１、ＳＷ２、ＳＷ３の何れかを介して励磁手段３１２と接続される。励磁手段３１２は電気錠の動作制限装置３０の連結手段として作用する。制御信号線２Ｌ１は、制御部２１と電気錠５０との接続経路であって、ＳＷ４を介して電気錠５０への信号線２Ｌと接続される。信号線２Ｌは電気錠の接続端子、特に制御信号の入力端子と接続されており、電気錠の動作制限装置３０の錠接続手段として作用する。
【００２７】
以下制限手段３１の動作を説明する。まず、電源装置４０がＯＮされて電源装置４０から電源電圧が印加されるとタイマ手段３１１が起動してスイッチＳＷ１を１秒間閉鎖する。なお、タイマ手段３１１は停電からの復電時においても電源装置４０の電源電圧を受けて同様に動作する。
【００２８】
スイッチＳＷ１が閉じることで、異常信号線２Ｌ２から入力される有電圧信号により励磁手段３１２が励磁する。励磁手段３１２の励磁は図示しない自己保持回路によって保持される。励磁手段３１２が励磁することにより、スイッチＳＷ２及びＳＷ４が閉じて制御部２１と電気錠５０との接続経路を閉状態に維持する。また、スイッチＳＷ２が閉じることにより、タイマ手段３１１による１秒間の計時が終了してスイッチＳＷ１が開放されても、励磁手段３１２の励磁は維持される。このとき、制御部２１より制御信号線２Ｌ１に解錠信号が入力されると、解錠信号は電気錠５０に伝送され電気錠５０が解錠する。
【００２９】
操作・制御装置２０にて検知手段２３が異常検知を出力すると、制御部２１は異常信号線２Ｌ２への有電圧信号を消失させることにより異常信号を制限手段３１に伝達する。したがって、制限手段３１においては、励磁手段３１２の励磁が解かれスイッチＳＷ２、ＳＷ４が開放する。スイッチＳＷ４が開放されることにより、制御部２１と電気錠５０との接続経路は遮断される。なお、操作・制御装置２０の異常に伴い制限手段３１が制御信号線２Ｌ１を遮断すると、その後操作・制御装置２０の異常を正常化して異常信号線２Ｌ２より有電圧信号が入力されても、制限手段３１のスイッチＳＷ１，ＳＷ２，ＳＷ３が開いたままであるので励磁手段３１２が励磁せず、制御信号線２Ｌ１は遮断したままで維持される。この状態において、制御部２１より制御信号線２Ｌ１に解錠信号が入力されても解錠信号は電気錠５０に伝達されないため電気錠５０は解錠せず施錠状態を維持する。
【００３０】
制限手段３１の正常化（スイッチＳＷ４を閉じて制御信号線２Ｌ１を接続状態にする）は、操作・制御装置２０が正常化（蓋の閉鎖、設置箇所への取り付け）している状態、すなわち、異常信号線２Ｌ２に有電圧信号が入力されている状態において、復旧ボタン３２を押下してスイッチＳＷ３を閉じることにより行われる。スイッチＳＷ３が閉じることにより、異常信号線２Ｌ２の有電圧信号により励磁手段３１２が励磁して、スイッチＳＷ２、ＳＷ４が閉じて、制御信号線２Ｌ１を接続状態に維持する。
【００３１】
図３は、本発明に係る電気錠制御部システムの動作を示すフローチャートである。以下、図３のフローチャートを参照して操作・制御装置２０の制御部２１の動作手順を説明する。まず、ステップＳ１０で制御部２１は、制御信号線２Ｌ１が電気錠５０と接続されているか、すなわち、制御信号線２Ｌ１に対して制限手段３１が接続状態か、遮断状態かを判別する。遮断状態にあれば制御部２１はステップＳ１１で操作・制御装置２０に設けられた図示されていない表示部に異常表示をする。
【００３２】
次に制御部２１はステップＳ１２で検知手段２３からの異常出力の有無を判別し、異常出力を受けると（ステップＳ１２のＹＥＳ）、ステップＳ１３で異常信号線２Ｌ２への有電圧信号を消失させて制限手段３１に異常信号を伝達する。検知手段２３からの異常出力がなければ（ステップＳ１２のＮＯ）、制御部２１はステップＳ１４の処理に進む。ステップＳ１４では、制御部２１は、入力部２２を介して、利用者からのＩＤコードが入力されているか否かを判別する。
【００３３】
ステップＳ１４で利用者からのＩＤコードが入力部２２に入力されていなければ（ステップＳ１４のＮＯ）制御部２１はステップＳ１０の処理に戻り、ＩＤコードが入力されていれば（ステップＳ１４のＹＥＳ）、制御部２１はステップＳ１５で入力されたＩＤコードと予め登録されて記憶しているコードと照合する。ＩＤコードの照合結果がＯＫ（登録された解錠資格を有する利用者であるとの認証結果）であれば（ステップＳ１５のＹＥＳ）、制御部２１は、ステップＳ１６で制御信号線２Ｌ１に解錠信号を送出する。電気錠５０は制御信号線２Ｌ１からの解除信号をうけて錠を解錠する。
【００３４】
他方、制御部２１によるＩＤコードの照合がＮＧ（解錠資格を有しない利用者であるとの認証結果）であった場合（ステップＳ１５のＮＯ）、ステップＳ１７で、図示されていない表示部に照合ＮＧの表示、例えば、「登録されたＩＤコードが存在しません。もう一度ＩＤコードを確かめて入力して下さい」等の表示が行われる。ステップＳ１３、ステップＳ１６、ステップＳ１７の各処理が終了すると制御部２１は初期の状態にリターンする。
【００３５】
また、図３のフローチャートには表されていないが、制限手段３１が遮断状態にある場合、すなわち、操作・制御装置２０に異常が発生した場合、前述したように利用者は、操作・制御装置２０を正常化した上で鍵等を用いて電気錠を解錠して室内へ入室し、制限手段３１の復旧ボタン３２を押下して本制御システム（電気錠システム）１０を復旧させる。
【００３６】
これにより、室外側の操作・制御装置２０が悪戯などにより異常を検知すると、制御部２１と電気錠５０との接続経路（制御信号線２Ｌ１）が室内側の、制限手段３１で遮断されており、電気錠５０は施錠状態を維持することとなる。したがって、室外側の操作・制御装置２０に接続された制御信号線２Ｌ１に不正に電圧を印加されても、電気錠５０を解錠することが不可能となる。
【００３７】
なお、本例において制限手段３１は、電源装置４０からタイマ手段３１１を介して通電されることにより、スイッチＳＷ１を閉鎖して励磁手段３１２を励磁する構成となっていたが、これに限定されるものではない。例えば、電源装置４０が操作・制御装置２０のみに電源を供給するよう構成し、電源投入時に利用者が室内側の復旧ボタン３２を押下操作することにより、異常信号線２Ｌ２の有電圧信号で励磁手段３１２を励磁させてスイッチＳＷ２、ＳＷ４が閉鎖する構成としてもよい。これにより、電源装置４０と制限手段３１とを接続する必要がなく、また、制限手段３１にスイッチＳＷ１やタイマ手段３１１を具備する必要がなくなるため、システム全体の配線及び制限手段３１の構成がより簡素化されることとなり、一層コストを削減することが可能となる。
【実施例２】
【００３８】
図４は、本発明に係る電気錠制御システムおよび電気錠の動作制限装置の他の態様を示す回路図である。図４において、図２と対応する構成要素には理解を容易にするため、図２の参照符号と同じ参照符号を付している。本実施例が、実施例１と異なる点は、電気錠５０として通電時施錠型電気錠を採用している点である。通電時施錠型電気錠は、通電中は施錠状態を保持し、無電圧時に解錠するものである。本実施例において、操作・制御部２０は、電気錠施錠時には制御信号線２Ｌ１を介して常時電気錠５０に有電圧信号を送出して施錠状態を維持している。利用者から入力されたＩＤコードが照合ＯＫであれば、制御信号線２Ｌ１への有電圧信号を消失させて電気錠５０を解錠状態にする。
【００３９】
以下、本実施例における制限手段３１Ａ（電気錠の動作制限装置３０）の動作を説明する。電源装置４０から電源電圧が印加されるとタイマ手段３１１が起動してスイッチＳＷ１を１秒間閉鎖する。なお、タイマ手段３１１は停電からの復電時においても同様に動作する。スイッチＳＷ１が閉じることで、異常信号線２Ｌ２から入力される有電圧信号により励磁手段３１２が励磁する。励磁手段３１２が励磁することにより、スイッチＳＷ２が閉じるとともに、ＳＷ４が制御信号線２Ｌ１側（制御部２１側）に切換わって制御部２１と電気錠５０との接続経路を閉状態に維持する。また、スイッチＳＷ２が閉じることにより、タイマ手段３１１による１秒間の計時が終了してスイッチＳＷ１が開放されても、励磁手段３１２の励磁は維持される。この状態において、制御部２１より解錠信号が出力されると、解錠信号は電気錠５０に伝達されて、電気錠５０が解錠する。
【００４０】
操作・制御装置２０にて検知手段２３が異常検知を出力すると、制御部２１は異常信号線２Ｌ１への有電圧信号を消失させることにより異常信号を制限手段３１Ａに伝達する。したがって、制限手段３１Ａにおいては、励磁手段３１２の励磁が解かれスイッチＳＷ２が開放するとともに、ＳＷ４が電源装置４０側に切換わる。スイッチＳＷ４が電源装置４０側に切換わることにより、制御部２１と電気錠５０との接続経路は遮断される。なお、操作・制御装置２０の異常に伴い制限手段３１Ａが制御信号線２Ｌ１を遮断すると、その後操作・制御装置２０の異常を正常化したとしても、制御（切換）手段のスイッチＳＷ１，ＳＷ２，ＳＷ３が閉じたままであるので励磁手段３１２が励磁せず制御信号線２Ｌ１は遮断したままの状態が維持される。この状態において、制御部２１より解錠信号が出力されても解錠信号は電気錠５０に伝達されず、電気錠５０はスイッチＳＷ４を介して電源装置４０より通電を受けて施錠状態を維持する。
【００４１】
制限手段３１Ａの正常化（スイッチＳＷ４を制御部２１側に切り換えて制御信号線２Ｌ１を接続状態にする）は、操作・制御装置２０が正常化（蓋の閉鎖、設置箇所への取り付け）している状態、すなわち、異常信号線に有電圧信号が入力されている状態において、復旧ボタン３２を押下してスイッチＳＷ３を閉じることにより行われる。スイッチＳＷ３が閉じることにより、異常信号線２Ｌ２の有電圧信号により励磁手段３１２が励磁して、スイッチＳＷ２が閉じ、ＳＷ４が制御部２１側に切換わって、制御信号線２Ｌ１を接続状態に維持する。
【００４２】
これにより、室外側の操作・制御装置２０が悪戯などにより異常な状態にされたこと検知すると、電気錠５０を施錠状態に維持するための通電経路が、室外側の制御部２１から室内側の電源装置４０に切換わって、施錠状態を維持することができる。したがって、室外側の操作・制御装置２０に接続された制御信号線２Ｌ１を切断して有電圧信号を消失させても電気錠５０を解錠することが不可能となる。
【００４３】
なお、本例において制限手段３１、３１Ａは、電源装置４０からタイマ手段３１１を介して通電されることにより、スイッチＳＷ１を閉鎖して励磁手段３１２を励磁する構成となっていたが、これに限定されるものではない。例えば、電源投入時に利用者が室内側の復旧ボタン３２を押下操作することにより、異常信号線２Ｌ２の有電圧信号で励磁手段３１２を励磁させてスイッチＳＷ２、ＳＷ４が閉鎖する構成としてもよい。これにより、制限手段３１、３１ＡにスイッチＳＷ１やタイマ手段３１１を具備する必要がなくなるため、制限手段３１、３１Ａの構成が簡素化されることとなり、一層コストを削減することが可能となる。
【産業上の利用可能性】
【００４４】
以上、説明したように、本発明に係る電気錠制御システムによれば、操作部と制御部を一体化した機器として室外側に設置することができ、機器のコストダウンを図ることが可能になる。そして、室外側に設置した機器に悪戯、故意の破壊行為があっても、室内の機器が不正に操作されないように構成したため、防犯効果を損なうことのない電気錠制御システムを提供することができるようになる。また、本発明に係る電気錠の動作制限装置によれば、異常を検知する検知手段が制御部の異常を検知すると、電気錠と制御部との接続経路を遮断する構成としたので、不正な操作による電気錠の作動を防止することができる。
【図面の簡単な説明】
【００４５】
【図１】本発明に係る電気錠制御システムの１実施態様を示すブロック図である。
【図２】図１における制限手段の構成を示す回路図である。
【図３】図１の電気錠制御システムの動作手順を示すフローチャートである。
【図４】本発明に係る電気錠制御システムの他の実施態様を示す回路図である。
【図５】従来の電気錠システムの構成を示す概略ブロック図である。
【符号の説明】
【００４６】
１０・・・電気錠制御システム
２０・・・操作・制御装置
２１・・・制御部
２２・・・入力部
２３・・・検知手段
２Ｌ１・・制御信号線
２Ｌ２・・異常信号線
Ｌ・・・・信号線
３０・・・動作制限装置
３１・・・制限手段
３１１・・タイマ手段
３１２・・励磁手段
３２・・・復旧手段（復旧ボタン）
４０・・・電源装置
５０・・・電気錠
６０・・・出入口扉
【図１】
2005188071.tif 000003
【図２】
2005188071.tif 000004
【図３】
2005188071.tif 000005
【図４】
2005188071.tif 000006
【図５】
2005188071.tif 000007